(57)【特許請求の範囲】
【請求項１】
室１の入口に、表面が凸面状に形成され、裏面が凹面状に形成された扉板１１を、縦方向の中心線を中心にして回動できるようにして設置し、この扉板１１の両方の端部１３に、それぞれ、隙間閉鎖板４１の一端部を揺動可能に接続して設け、この隙間閉鎖板４１は、先端部が入口の側部２側（外側）に揺動した位置で、扉板１１の両方の端部１３と入口の側部２との間の隙間を閉鎖し、隙間閉鎖板４１の先端部が内側に揺動した位置で、隙間閉鎖板４１と前記入口の側部２との間に隙間ができるように形成し、
扉板１１に扉駆動装置３０を接続し、隙間閉鎖板４１に閉鎖板駆動装置４７を接続した回転ドア装置。
【請求項２】
室１の入口に、表面が凸面状に形成され、裏面が凹面状に形成された扉板１１を、縦方向の中心線を中心にして回動できるようにして設置し、前記入口の両側の側部２に、それぞれ、隙間閉鎖板４１の一端部を揺動可能に接続して設け、この隙間閉鎖板４１は、先端部が内側に揺動した位置で、扉板１１の両方の端部１３と入口の側部２との間の隙間を閉鎖し、隙間閉鎖板４１の先端部が入口の側部２側（外側）に揺動した位置で、隙間閉鎖板４１と前記入口の側部２との間に隙間ができるように形成し、
扉板１１に扉駆動装置３０を接続し、隙間閉鎖板４１に閉鎖板駆動装置４７を接続した回転ドア装置。
【請求項３】
室１の入口に、表面が凸面状に形成され、裏面が凹面状に形成された扉板１１を、縦方向の中心線を中心にして回動できるようにして設置し、前記入口の両側の側部２に、それぞれ、隙間閉鎖板４１を出没可能に設け、この隙間閉鎖板４１は、側部２から突出した位置で、扉板１１の両方の端部１３と入口の側部２との間の隙間を閉鎖し、隙間閉鎖板４１が側部２に没した位置で、隙間閉鎖板４１と前記入口の側部２との間に隙間ができるように形成し、
扉板１１に扉駆動装置３０を接続し、隙間閉鎖板４１に閉鎖板駆動装置４７を接続した回転ドア装置。
【発明の詳細な説明】
【０００１】
【産業上の利用分野】
本発明は、トイレ等の室の回転ドア装置に関する。
【０００２】
【従来の技術】
従来、トイレ等の狭い室の扉も、広い室の扉と同様で、特に変わるところはなく、平板状の扉の一端部を蝶着したものである。そして、トイレ等の室内を広くすると、その外側の部分の面積が小さくなってしまう。
【０００３】
そこで、本件出願人は、トイレ等の室内を使用時に広く使えるように形成した回転ドアを、特願平５−２３８５３９号、及び特願平５−３５３０１６号として出願した。
【０００４】
前記回転ドアは、扉を半円筒状に形成して、トイレ等の不使用には、扉の凸面側がトイレ等の室内に入るように回転させて、室外が広くなるようにして入口を半円筒状の扉で閉鎖したものである。
【０００５】
そして、トイレ等の使用時には、扉の凸面側がトイレ等の室外に突出するように扉を回転させて入口を閉鎖し、トイレ等の室内が広くなるように形成したものである。
【０００６】
【発明が解決しようとする課題】
前記回転ドアは、トイレ等の不使用時には、トイレ等の室外が広くなり、使用時には、トイレ等の室内が広くなり便利である。
【０００７】
しかしながら、扉の表面がトイレ等の室の入口の側部に、密接するように形成すると、扉の回転に大きな力を必要とし、扉の表面が室の入口の側部に接触しないように形成すると、扉と入口の側部との間に隙間が発生して、使用中の室内が隙間から見られる虞れがあり、好ましくなかった。
【０００８】
本発明は、前記事項に鑑みなされたものであり、回転ドアの扉が小さな力でも軽快に回転し、しかも、室の使用時には、扉と入口の側部との間に隙間が発生しないようにすることを技術的課題とする。
【０００９】
【課題を解決するための手段】
第１の発明は、室１の入口に、表面が凸面状に形成され、裏面が凹面状に形成された扉板１１を、縦方向の中心線を中心にして回動できるようにして設置し、この扉板１１の両方の端部１３に、それぞれ、隙間閉鎖板４１の一端部を揺動可能に接続して設け、この隙間閉鎖板４１は、先端部が外側に揺動した位置で、扉板１１の両方の端部１３と入口の側部２との間の隙間を閉鎖し、隙間閉鎖板４１の先端部が内側に揺動した位置で、隙間閉鎖板４１と前記入口の側部２との間に隙間ができるように形成し、扉板１１に扉駆動装置３０を接続し、隙間閉鎖板４１に閉鎖板駆動装置４７を接続して回転ドア装置とした。
【００１０】
第２の発明は、室１の入口に、表面が凸面状に形成され、裏面が凹面状に形成された扉板１１を、縦方向の中心線を中心にして回動できるようにして設置し、前記入口の両側の側部２に、それぞれ、隙間閉鎖板４１の一端部を揺動可能に接続して設け、この隙間閉鎖板４１は、先端部が内側に揺動した位置で、扉板１１の両方の端部１３と入口の側部２との間の隙間を閉鎖し、隙間閉鎖板４１の先端部が外側に揺動した位置で、隙間閉鎖板４１と前記入口の側部２との間に隙間ができるように形成し、扉板１１に扉駆動装置３０を接続し、隙間閉鎖板４１に閉鎖板駆動装置４７を接続して回転ドア装置とした。
【００１１】
第３の発明は、室１の入口に、表面が凸面状に形成され、裏面が凹面状に形成された扉板１１を、縦方向の中心線を中心にして回動できるようにして設置し、前記入口の両側の側部２に、それぞれ、隙間閉鎖板４１を出没可能に設け、この隙間閉鎖板４１は、側部２から突出した位置で、扉板１１の両方の端部１３と入口の側部２との間の隙間を閉鎖し、隙間閉鎖板４１が側部２に没した位置で、隙間閉鎖板４１と前記入口の側部２との間に隙
間ができるように形成し、扉板１１に扉駆動装置３０を接続し、隙間閉鎖板４１に閉鎖板駆動装置４７を接続して回転ドア装置とした。
【００１２】
【００１３】
【作用】
扉板１１の両方の端部１３に、それぞれ、隙間閉鎖板４１の一端部を揺動可能に接続した第１の発明は、室１の不使用時には、扉板１１を図１に示す扉板１１が室１内に入り込む位置に回動させる。そうすると室１の外が広くなる。
【００１４】
そして、室１を使用するには、使用者が扉板１１の前方の扉板回転範囲内５に立つ。そして、隙間閉鎖板４１を図３に示すように内側に揺動させ、扉板１１の端部１３と入口の側部２との間に隙間を形成して、扉板１１を回動させる。そうすると、扉板１１は入口の側部２に触れることなく回動され、図４に示す位置となり、扉板回動範囲内５に立っていた使用者は、室１内に立つこととなり、室１内も広くなる。
【００１５】
そこで、隙間閉鎖板４１の先端部を外側に揺動させると、扉板１１の端部１３と入口の側部２との間の隙間は、隙間閉鎖板４１で閉鎖され、室１内は外部から見られないようになる。
【００１６】
使用者が室１内から出るには、使用者が室１内の扉板回転範囲内５に立ち、隙間閉鎖板４１を内側に揺動させて、扉板１１の端部１３と側部２との間に隙間を形成して、扉板１１を図３に示す位置に回動させると、使用者は室１外に出て、室１の外も広くなる。
【００１７】
前記した回転ドア装置の扉板１１に扉駆動装置３０を接続し、隙間閉鎖板４１に閉鎖板駆動装置４７を接続した発明は、扉板１１と隙間閉鎖板４１を動力により回動させ、また、揺動させる。
【００１８】
入口の両側の側部２に、それぞれ、隙間閉鎖板４１の一端部を揺動可能に接続した第２の発明と、この発明に扉駆動装置３０と、閉鎖板駆動装置４７を接続した第５の発明も、前記した扉板１１に隙間閉鎖板４１を接続した第１の発明、及びこの発明に、扉駆動装置３０と閉鎖板駆動装置４７を接続した第４の発明と同様の作用をするものである。
【００１９】
すなわち、隙間閉鎖板４１の先端部を内側に揺動させると、扉板１１の端部１３と、入口の側部２との間の隙間は、隙間閉鎖板４１で閉鎖され、また、扉板１１と隙間閉鎖板４１を動力で回動させ、また、揺動させられる。さらに、隙間閉鎖板４１などが、入口の側部２側に設けられたので、扉板１１は一層軽快に回動できるようになった。
【００２０】
入口の両側の側部２に、それぞれ、隙間閉鎖板４１を出没可能に設けた回転ドア装置の第３の発明と、この発明に扉駆動装置３０と、閉鎖板駆動装置４７を接続した第６の発明も、前記した扉板１１に隙間閉鎖板４１を接続した第１の発明、及びこの発明に、扉駆動装置３０と閉鎖板駆動装置４７を接続した第４の発明と同様の作用をするものである。
【００２１】
すなわち、隙間閉鎖板４１を、入口の側部２から突出させると、扉板１１の端部１３と、入口の側部２との間の隙間は、隙間閉鎖板４１で閉鎖され、また、扉板１１と隙間閉鎖板４１を動力で回動させ、また出没させられる。
【００２２】
そして、この回転ドア装置も、隙間閉鎖板４１などが、第２の発明と同様に入口の側部２側に設けられたので、扉板１１は軽快に回動できる。
【００２３】
【実施例】
以下図に基づいて本発明の実施例の説明をする。図１〜図５は、発明の一実施例の説明用の図である。
【００２４】
この実施例の回転ドア装置は、トイレの室１の入口に、表面が凸面状に形成され、裏面が凹面状に形成された半円筒状の合成樹脂製の扉板１１を、縦方向の中心線を中心にして回動できるようにして設置してある。
【００２５】
そして、前記扉板１１の下端には、床４に接する車輪２３が３個設けてある。また、前記入口に設置した扉板１１の縦方向の中心線上の床４には、下部軸２０が回動自在に設置してあり、この下部軸２０の上端には、床４に近接して蓋体２１が取付けてあり、さらに、この蓋体２１には、前記床４に近接して水平方向に延びる連結アーム２２の一端部が取付けてあり、この連結アーム２２の他端部は、前記扉板１１の下端部の中央部に取付けてある。
【００２６】
また、前記床４に、前記車輪２３を案内する円形のレール、または円形の溝状レールを設けると、前記下部軸２０、蓋体２１、連結アーム２２などを除くことができる。
【００２７】
そして、前記扉板１１の上端には、円盤状の頂板１２が取り付けてあり、この頂板１２の上面の中心には、回転軸３５が取り付けてあり、この回転軸３５には大歯車３４が取り付けてある。そして、前記入口の天井部に取り付けたモータ３１のモータ軸３２には、小歯車３３を取り付け、この小歯車３３を前記大歯車３４に噛み合わせて、前記扉板１１を回動させる扉駆動装置３０が形成されている。
【００２８】
そして、前記扉板１１の両方の端部１３には、合成樹脂製の縦長の隙間閉鎖板４１の一端部を揺動可能に軸着して接続して設けてある。そして、前記入口の側部２の先端部には、内側に突出する入口突部３が設けてある。
【００２９】
そして、前記頂板１２の上面の両側近くには、閉鎖板駆動装置４７が設けてあり、この閉鎖板駆動装置４７は、図示してないもモータに、減速機構を介して接続する駆動軸４８を設けてあり、この駆動軸４８には、駆動アーム４９が接続してあり、この駆動アーム４９の先端部に設けた縦軸５０が、前記隙間閉鎖板４１の上端の中央部に設けた縦孔に、回動可能に挿入されている。そして、前記モータは、図示してない接触電極で外部の電源に接続している。
【００３０】
前記実施例の回転ドア装置は、トイレの不使用時には、図１に示すように、扉板１１をトイレの室１内に入り込む位置にする。そうすると、室１内は狭くなるが室１の外は広くなる。
【００３１】
そして、この実施例は、扉板１１が図１に示す位置で停止すると、閉鎖板駆動装置４７を駆動し、縦軸５０を外側に移動させて、隙間閉鎖板４１の先端部を外側に揺動させ、扉板１１の端部１３と、入口の側部２との間の隙間を、隙間閉鎖板４１で閉鎖する。
【００３２】
そして、この実施例は、前記隙間閉鎖板４１の先端部が、側部２に当接していなくても、入口突部３があるので、隙間は完全に封鎖される。そして、扉板１１が図１に示す位置にあるとき、扉板１１を図３に示す位置に揺動させて置くようにすることも可能である。そうすると、室１の不使用時には、隙間から室１内を見ることができる。
【００３３】
そして、室１を使用するときは、使用者は図１に示す扉板回転範囲内５に立ち、図示してない室外スイッチを入れる。そうすると、まず、閉鎖板駆動装置４７が駆動され、隙間閉鎖板４１の先端部が、図３に示す内側に揺動され、扉板１１の端部１３と入口の側部２との間に隙間ができる。
【００３４】
そこで、扉駆動装置３０が駆動され、扉板１１が回動し、図４に示す位置で停止し、使用者は室１内に立つこととなる。次に、閉鎖板駆動装置４７が駆動され、隙間閉鎖板４１の先端部が、図４に示す外側に揺動され、扉板１１の端部１３と入口の側部２との間の隙間を、隙間閉鎖板４１で閉鎖する。そして、扉板１１の回動は、扉板１１が入口突部３に当接してロックされる。
【００３５】
そして、前記の如く、室１を使用するときは、扉板１１が室１の外に膨出する形となるので、室１内は広くなる。そして、当然のこととして、このとき、室１の外は狭くなるが、その狭くなる時間は短時間であるので、あまり支障とならない。
【００３６】
次に、室１内から外に出るには、使用者は室１内の扉板回動範囲内５に立ち、図示してない室内スイッチを入れる。そうすると、まず、閉鎖板駆動装置４７が駆動され、隙間閉鎖板４１の先端部が、内側に揺動され、扉板１１の端部１３と入口の側部２の間に隙間ができる。
【００３７】
そして、扉駆動装置３０が駆動され扉板１１が図１に示す位置に回動して停止し、使用者は室１外に立つこととなる。そして、隙間閉鎖板４１も揺動して隙間を閉鎖する。
【００３８】
そして、前記回転ドア装置の隙間閉鎖板４１に手動の揺動装置を取り付けることも可能である。前記の如く、隙間閉鎖板４１に手動の揺動装置を取り付け、閉鎖板駆動装置４７、及び扉駆動装置３０を取り除くことができ、また、取り除かないまま、扉板１１を回動させ、隙間閉鎖板４１を揺動させることもできる。
【００３９】
図６から図９は、他の実施例の説明用の図であり、以下さきの実施例と同様の部分は、一部図を省略し、或いは同一の符号を用い説明を省略し、また、その実施例の作用などについても、同様の作用などは省略した。
【００４０】
この実施例の回転ドア装置は、室１の入口の両側の側部２に、それぞれ、合成樹脂製の縦長の隙間閉鎖板４１の一端部を揺動可能に軸着して接続して設けてある。そして、室１の入口の側部２の近くに閉鎖板駆動装置４７を設けている。
【００４１】
そして、扉板１１の端部１３には、それぞれ間隔を置いて扉突部１４ａ・１４ｂが設けてある。そして、この実施例の回転ドア装置は、隙間閉鎖板４１を駆動させる機構が、外部にあまり露出せず、見栄えが良いものとなる。
【００４２】
図１０から図１２は、さらに他の実施例の説明用の図である。この実施例の回転ドア装置は、入口の両側の側部２に、それぞれ、溝状挿入孔５９を設け、この溝状挿入孔５９に、合成樹脂製の縦長の隙間閉鎖板４１を出没可能に挿入して接続して設けてある。
【００４３】
そして、前記入口の側部２には、前記隙間閉鎖板４１の後端部を押圧し、そして引寄せることのできる閉鎖板駆動装置４７が、側部２の上部と中央部、及び下部の３箇所に設けてある。
【００４４】
そして、この実施例の閉鎖板駆動装置４７は、図１２に示すように、縦長の溝状挿入孔５９の後端部に、合成樹脂製のケース５８に収容されたソレノイドコイル５６を設け、このソレノイドコイル５６内に可動鉄心５７を摺動自在に挿入し、ケース５６の後端を蓋６０で閉鎖したものであり、この可動鉄心５７の先端部は、前記隙間閉鎖板４１の後端部に、固定して取り付けてある。
【００４５】
そして、前記ソレノイドコイル５６の一方向に電流を流すことにより、可動鉄心５７を前進させて隙間閉鎖板４１を押し出し、ソレノイドコイル５６の多方向に電流を流すこと
により、可動鉄心５７を後退させて、隙間閉鎖板４１を側部２内に引き寄せるものである。
【００４６】
そして、この実施例の回動ドア装置も、隙間閉鎖板４１を駆動させる機構が外部に露出せず見栄えが良いものとなった。
【００４７】
【発明の効果】
本発明は、表面が凸面状で裏面が凹面状に形成した扉板１１を、室１の不使用時には、室１内に入り込むように回動させて入口を閉鎖し、室１の外を広くし、室１の使用時には、前記扉板１１を室１の外に膨出するように回動させて入口を閉鎖し、室１内を広くする回転ドア装置において、扉板１１の端部１３と入口の側部２との間に、前記端部１３と側部２の間の隙間を閉鎖し、また開放できる隙間閉鎖板４１を設けたものである。
【００４８】
したがって、本発明の回転ドア装置は、扉板１１の回転時には、扉板１１を側部２などに触れずに軽快に回動させることができ、そして、扉板１１の閉鎖時には、扉板１１の端部１３と入口の側部２との間を隙間なく密閉できることとなった。
【００４９】
そして、隙間閉鎖板４１を入口の側部２側に設けたものは、扉板１１が軽くなり回動も一層軽くなった。そして、隙間閉鎖板４１を入口の側部２から出没させるように設けたものは、隙間閉鎖板４１を駆動させる機構が外部にあまり露出せず、見栄えの良いものとなった。
【００５０】
さらに、扉駆動装置３０と閉鎖板駆動装置４７を設けたものは、扉体の回動と隙間閉鎖板４１の操作が一層軽快にできるようになった。
【図面の簡単な説明】
【図１】本件第１の発明の一実施例の室の不使用時の平面図で図２のＡ−Ａ線の断面図
【図２】第１の発明の一実施例の一部破砕した正面図
【図３】第１の発明の一実施例を示す図で、図２のＡ−Ａ線の断面図で隙間閉鎖板を引っ込めた図
【図４】第１の発明の一実施例の室の使用時の平面図で図５のＢ−Ｂ線の断面図
【図５】第１の発明の一実施例の一部破砕した正面図
【図６】第１の発明の一実施例の室の不使用時の平面図で図７のＣ−Ｃ線の断面図
【図７】本件第２の発明の一実施例の一部破砕した正面図
【図８】第２の発明の一実施例の室の使用時の平面図で図９のＤ−Ｄ線の断面図
【図９】第２の発明の一実施例の一部破砕した正面図
【図１０】本件第３の発明の一実施例の室の不使用時の断面図
【図１１】第３の発明の一実施例の室の使用時の断面図
【図１２】第３の発明の要部の拡大図
【符号の説明】
１・・室
２・・入口の側部
１１・・扉板
１３・・端部
３０・・扉駆動装置
４１・・隙間閉鎖板
４７・・閉鎖板駆動装置
【図１】
0003562831.tif 000002
【図２】
0003562831.tif 000003
【図３】
0003562831.tif 000004
【図４】
0003562831.tif 000005
【図５】
0003562831.tif 000006
【図６】
0003562831.tif 000007
【図７】
0003562831.tif 000008
【図８】
0003562831.tif 000009
【図９】
0003562831.tif 000010
【図１０】
0003562831.tif 000011
【図１１】
0003562831.tif 000012
【図１２】
0003562831.tif 000013